(57)【特許請求の範囲】
【請求項１】
構造物の屋内側と屋外側とを連通し、かつ開閉体によって開閉される開口部に対して前記開閉体よりも屋外側に設置されるシートと、
前記シートを前記開閉体に対して前記屋外側で固定する固定手段と、
前記シートを前記開閉体よりも屋外側の位置で前記構造物に対して保持する保持部と、を備え、
前記保持部は、前記シートを前記開閉体との接触が許容されるたるみを有すると共に、前記シートのシート下部が床面に沿って屋外側に向けて前記開閉体から離間方向に延在するように前記構造物に対して保持し、
前記シートは、前記開閉体の鉛直方向下端側の所定部と、前記構造物のうち前記所定部に隣接する部分とを一体に覆うことで前記開口部の鉛直方向下端側を閉塞するとともに、上端部が前記固定手段によって前記開閉体に対して固定され、前記屋外側に向けて前記開閉体から離間方向に延在する前記シート下部が水圧によって押圧されて前記床面に密着するように構成される
ことを特徴とする開口部の防水装置。
【請求項２】
前記保持部は、前記開閉体の下端から前記所定部の上端までの範囲で前記シートを保持する
請求項１に記載の開口部の防水装置。
【請求項３】
更に、前記屋外側に向けて前記開閉体から離間方向に延在する前記シート下部を浮力に抗して前記床面に向けて押圧する押圧部材を備える
請求項１または２に記載の開口部の防水装置。
【請求項４】
前記シートは、前記開口部の幅方向において互いに対向する壁面に対応する部分の下端部と前記シート下部との接続部分が折り畳まれて互いに重ね合わされている
請求項１から３のいずれか１項に記載の開口部の防水装置。
【請求項５】
前記シートは、前記屋外側に向けて前記開閉体から離間方向に延在する前記シート下部と、前記屋内側に向けて前記開閉体から離間方向に延在する部分とを備え、前記シートの一部が前記開閉体と前記床面との間に挟まれるように構成される
請求項１から４のいずれか１項に記載の開口部の防水装置。
【請求項６】
更に、前記開閉体を水圧による力に抗して支持する支持部材を備える
請求項１から５のいずれか１項に記載の開口部の防水装置。
【請求項７】
前記固定手段は、マグネットであり、
前記シートは、前記マグネットを収容可能なポケット部を有する
請求項１から６のいずれか１項に記載の開口部の防水装置。
【発明の詳細な説明】
【技術分野】
【０００１】
本発明は、開口部の防水装置に関する。
【背景技術】
【０００２】
従来、開閉体によって開閉される開口部からの浸水を抑制する技術が提案されている。例えば、特許文献１には、シャッタの裏面には屈曲自在な防水シートが設けられていると共に、防水シートと対向するようにしてガイド部材にはシール部材が設けられ、シャッタに浸水しようとする氾濫水等の水圧がシャッタの表面に作用すると、防水シートがシール材に圧接されるようになっている、浸水防止機能を備えたシャッタ装置の技術が開示されている。
【先行技術文献】
【特許文献】
【０００３】
【特許文献１】特許第４４５９７４０号公報
【発明の概要】
【発明が解決しようとする課題】
【０００４】
開口部からの浸水を抑制することについて、なお改良の余地がある。例えば、シャッタとガイド部材との隙間以外の経路からも水が浸入する可能性がある。開口部からの浸水を適切に抑制できることが望まれている。
【０００５】
本発明の目的は、開閉体によって開閉される開口部からの浸水を抑制することができる開口部の防水装置を提供することである。
【課題を解決するための手段】
【０００６】
本発明の開口部の防水装置は、構造物の屋内側と屋外側とを連通し、かつ開閉体によって開閉される開口部に対して前記開閉体よりも屋外側に設置されるシートと、前記シートを前記開閉体に対して前記屋外側で固定する固定手段と、前記シートを前記開閉体よりも屋外側の位置で前記構造物に対して保持する保持部と、を備え、前記保持部は、前記シートを前記開閉体との接触が許容されるたるみを有すると共に、前記シートのシート下部が床面に沿って屋外側に向けて前記開閉体から離間方向に延在するように前記構造物に対して保持し、前記シートは、前記開閉体の鉛直方向下端側の所定部と、前記構造物のうち前記所定部に隣接する部分とを一体に覆うことで前記開口部の鉛直方向下端側を閉塞するとともに、上端部が前記固定手段によって前記開閉体に対して固定され、前記屋外側に向けて前記開閉体から離間方向に延在する前記シート下部が水圧によって押圧されて前記床面に密着するように構成されることを特徴とする。
【０００７】
上記開口部の防水装置では、シートが開閉体と構造物とを一体に覆い、かつシートの上端部が固定手段によって開閉体に固定されるとともに、シート下部を開閉体の下端部の近傍において水圧により床面に密着させるので、開口部からの浸水を抑制することができる。
【０００８】
上記開口部の防水装置において、前記保持部は、前記開閉体の下端から前記所定部の上端までの範囲で前記シートを保持することが好ましい。上記開口部の防水装置では、シートを開閉体に密着させる場合に確実にシートの支持ができるので、屋内側への浸水がより抑制できる。
また、上記開口部の防水装置において、更に、前記屋外側に向けて前記開閉体から離間方向に延在する前記シート下部を浮力に抗して前記床面に向けて押圧する押圧部材を備えることが好ましい。上記開口部の防水装置では、屋外側に向けて開閉体から離間方向に延在するシート下部が押圧手段により押さえつけられるので水圧が低い場合でもシーとが浮き上がることが抑制され、屋内側への浸水が抑制できる。
また、上記開口部の防水装置において、前記シートは、前記開口部の幅方向において互いに対向する壁面に対応する部分の下端部と前記シート下部との接続部分が折り畳まれて互いに重ね合わされていることが好ましい。上記開口部の防水装置では、壁面に対応する部分の下端部とシート下部との接続部分との浮き上がりが抑制され、屋内側への浸水をより抑制できる。
【０００９】
上記開口部の防水装置において、前記シートは、前記屋外側に向けて前記開閉体から離間方向に延在する前記シート下部と、前記屋内側に向けて前記開閉体から離間方向に延在する部分とを備え、前記シートの一部が前記開閉体と前記床面との間に挟まれるように構成されることが好ましい。上記開口部の防水装置では、シートの下端部の近傍で、当該シートの一部が開閉体と床面との間に挟まれるので、シートの浮き上がりを容易に抑制することができる。
また、上記開口部の防水装置において、更に、前記開閉体を水圧による力に抗して支持する支持部材を備えることが好ましい。上記開口部の防水装置では、開閉体の水圧による変形を抑制して、開閉体が構造物から外れないようにすることができる。
【００１０】
上記開口部の防水装置において、前記固定手段は、マグネットであり、前記シートは、前記マグネットを収容可能なポケット部を有することが好ましい。
【００１１】
上記開口部の防水装置では、シートの設置時にマグネットをポケット部に入れるようにしてもよいため、シートの設置が容易となる。
【発明の効果】
【００１２】
本発明に係る開口部の防水装置は、開閉体によって開閉される開口部からの浸水を抑制することができるという効果を奏する。
【図面の簡単な説明】
【００１３】
【図１】図１は、第１実施形態に係る開口部の防水装置を示す斜視図である。
【図２】図２は、第１実施形態に係る開口部の防水装置の水平断面図である。
【図３】図３は、第１実施形態に係る開口部の防水装置の鉛直断面図である。
【図４】図４は、押圧部材の設置状態の一例を示す図である。
【図５】図５は、第１実施形態の第１変形例に係る押圧部材の設置状態を示す斜視図である。
【図６】図６は、第１実施形態の第１変形例に係る押圧部材の設置状態を示す断面図である。
【図７】図７は、隅部における隙間の説明図である。
【図８】図８は、第１実施形態の第２変形例に係る押圧部材の設置状態を示す斜視図である。
【図９】図９は、第１実施形態の第２変形例に係る押圧部材の設置状態を示す断面図である。
【図１０】図１０は、押圧部材によってシートをガイドレールに向けて押圧する設置方法の説明図である。
【図１１】図１１は、シートをガイドレールに向けて押圧する押圧部材の他の一例を示す図である。
【図１２】図１２は、第１実施形態の第３変形例に係るシートの幅方向の端部を示す図である。
【図１３】図１３は、第１実施形態の第４変形例に係るシートを示す図である。
【図１４】図１４は、第１実施形態の第５変形例に係る開口部の防水装置を示す図である。
【図１５】図１５は、押圧部材の配置の一例を示す図である。
【図１６】図１６は、第１実施形態の第６変形例に係るシートを示す断面図である。
【図１７】図１７は、第１実施形態の第６変形例に係る他のシートを示す断面図である。
【図１８】図１８は、第１実施形態の第６変形例に係る更に他のシートを示す断面図である。
【図１９】図１９は、開き戸に設置される開口部の防水装置を示す図である。
【図２０】図２０は、自動ドアに設置される開口部の防水装置を示す図である。
【図２１】図２１は、グリルシャッターに対するシートの取付け方法の一例を示す図である。
【図２２】図２２は、第１実施形態の第８変形例に係る押圧部材を示す図である。
【図２３】図２３は、第２実施形態に係る開口部の防水装置の支持部材を示す図である。
【図２４】図２４は、第２実施形態の第１変形例に係る支持部材を示す図である。
【図２５】図２５は、第２実施形態の第１変形例に係る他の支持部材を示す図である。
【図２６】図２６は、第２実施形態の第２変形例に係る支持部材を示す図である。
【図２７】図２７は、第２実施形態の第２変形例に係る他の支持部材を示す図である。
【図２８】図２８は、第２実施形態の第３変形例に係る支持部材を示す図である。
【図２９】図２９は、第２実施形態の第３変形例に係る他の支持部材を示す図である。
【図３０】図３０は、第２実施形態の第４変形例に係る支持部材の設置時を示す図である。
【図３１】図３１は、第２実施形態の第４変形例に係る支持部材の収納時を示す図である。
【図３２】図３２は、開口部に設置された第３実施形態に係るシートの要部を示す斜視図である。
【図３３】図３３は、第３実施形態に係るシートの展開図である。
【図３４】図３４は、開口部に設置された第３実施形態の第１変形例に係るシートの要部を示す斜視図である。
【図３５】図３５は、第３実施形態の第１変形例に係るシートの展開図である。
【図３６】図３６は、開口部に設置された第３実施形態の第２変形例に係るシートの要部を示す斜視図である。
【図３７】図３７は、第３実施形態の第２変形例に係るシートの展開図である。
【図３８】図３８は、開口部に設置された第３実施形態の第３変形例に係るシートの要部を示す斜視図である。
【図３９】図３９は、第３実施形態の第３変形例に係るシートの展開図である。
【発明を実施するための形態】
【００１４】
以下に、本発明の実施形態に係る開口部の防水装置につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１５】
［第１実施形態］
図１から図４を参照して、第１実施形態について説明する。本実施形態は、開口部の防水装置に関する。図１は、本発明の第１実施形態に係る開口部の防水装置を示す斜視図、図２は、第１実施形態に係る開口部の防水装置の水平断面図、図３は、第１実施形態に係る開口部の防水装置の鉛直断面図、図４は、押圧部材の設置状態の一例を示す図である。
【００１６】
建物等の構造物の外部開口部には、シャッターが付けられることが多い。例えば、洪水時に浸水しやすい地下駐車場の入口や、浸水すると商品が毀損されやすい店舗の入口等にもシャッターが付けられていることが多い。シャッターは、隙間が多い構造であるため、ゲリラ豪雨や洪水時にはシャッターの隙間を介した浸水によってこれらの施設が被害に遭う可能性がある。
【００１７】
浸水対策として、シャッターの下部を防水板（パネル）に変更する方法も考えられるが、一般的に高額となりやすいため、ユーザーにとって受け入れにくい場合がある。
【００１８】
本実施形態の開口部の防水装置１−１は、シャッターの前にシートを設置して、簡易的にかつ安価に止水することを可能とする。シートは、シャッターとその周囲の構造物とを一体に覆うことで、シャッターと構造物との隙間を閉塞し、適切に止水することができる。よって、本実施形態の開口部の防水装置１−１によれば、水害による建物内部の被害を軽減することができる。
【００１９】
図１に示す開口部の防水装置１−１は、構造物１の開口部２を閉塞し、屋外側から屋内側への水の浸入を抑制するものである。構造物１は、例えば、工場、倉庫、車庫、店舗、家屋等の建築構造物であり、開口部２を有している。開口部２は、構造物１の壁部等に形成されており、構造物１の屋外側と屋内側とを連通している。
【００２０】
ここで、屋外側とは、相対的に構造物１の外部空間に近い側を示し、屋内側とは、相対的に構造物１の外部空間から遠い側を示す。言い換えると、屋外側とは、外部空間から構造物１に水が浸入する場合の上流側、すなわち先に水が到達する側である。開口部２は、例えば、構造物１の外部空間（屋外）と内部空間（屋内）とを連通するものとすることができる。本実施形態の開口部２は、構造物１の外殻をなす壁部３に形成されており、壁部３を貫通して構造物１の屋外と屋内とを連通している。なお、これに限らず、開口部２は、構造物１の内部を仕切る壁部に形成されたものであってもよい。
【００２１】
シャッターカーテン４は、開口部２を開閉する開閉体である。シャッターカーテン４は、開閉方向、本実施形態では鉛直上下方向に移動する。シャッターカーテン４は、複数のスラット４ａを開閉方向に連接して形成されたスラット連接体である。本実施形態では、開方向が上方向、閉方向が下方向となる。
【００２２】
図２に示すように、シャッターカーテン４は、ガイドレール５によって案内される。壁部３は、開口部２を形成する壁面３ａ，３ｂを有する。壁面３ａと壁面３ｂとは開口部２の幅方向において互いに対向している。ガイドレール５は、壁面３ａ，３ｂにそれぞれ配置されており、幅方向において互いに対向している。シャッターカーテン４の幅方向の両端部は、それぞれガイドレール５の溝部５ａに挿入されている。溝部５ａは、開閉方向に延在しており、シャッターカーテン４を開閉方向に移動自在に案内する。
【００２３】
図３に示すように、シャッターカーテン４は、ホイルかご６に巻き取り可能である。ホイルかご６にシャッターカーテン４を巻き取ることで開口部２を開放することができ、ホイルかご６からシャッターカーテン４を繰り出すことで開口部２を閉鎖することができる。シャッターカーテン４の巻き取りおよび繰り出しは、手動でなされても、モータ等の駆動装置によって自動でなされてもよい。ホイルかご６は、ケース７内に配置されている。ケース７は、開口部２の上方の壁部等に取り付けられている。本実施形態のシャッター装置は、シャッターカーテン４、ガイドレール５、ホイルかご６およびケース７を有する。
【００２４】
図１に戻り、開口部の防水装置１−１は、シート１０、保持部２０および押圧部材１６を備える。シート１０は、開口部２に設置されるものであり、開口部２の鉛直方向下端側の領域を閉塞することが可能な幅および長さを有している。シート１０の形状は、例えば、矩形である。シート１０は、遮水性を有しており、開口部の防水シートとして機能することができる。また、シート１０は、可撓性を有しており、伸縮可能であってもよい。シート１０の素材は、例えば、樹脂、ゴム、表面を樹脂などでコーティングした布とすることができる。シート１０は、水圧によるシャッターカーテン４等の開閉体の変形に追従できる素材で構成されることが好ましい。
【００２５】
シート１０の幅は、シャッターカーテン４の幅よりも大きい。また、シート１０の幅は、開口部２の幅、言い換えると壁面３ａと壁面３ｂとの距離よりも大きいことが好ましい。シート１０の開閉方向の長さは、対応すべき水深に基づいて定められている。すなわち、シャッターカーテン４の下端から鉛直方向上側に向けてどの範囲をシート１０によって覆い防水するかに基づいてシート１０の全長が定められている。以下の説明では、シャッターカーテン４においてシート１０によって覆われるべき部分を「所定部」（図３の符号４１参照）と称する。所定部４１は、シャッターカーテン４の鉛直方向下端側の部分である。
【００２６】
保持部２０は、シート１０をシャッターカーテン４よりも屋外側の位置で構造物１に対して保持する。より詳しくは、保持部２０は、シャッターカーテン４の所定部４１と、構造物１のうち所定部４１に隣接する部分とを一体に覆うことで開口部２の鉛直方向下端部を閉塞させるようにシート１０を保持する。また、保持部２０は、シート１０の鉛直方向下端部が床面８に沿って屋外側に向けて延在するようにシート１０を保持する。これにより、シート１０は、シャッターカーテン４が有する隙間やシャッターカーテン４と構造物１との隙間を塞ぎ、屋内側への浸水を抑制することができる。
【００２７】
図２に示すように、保持部２０は、レール２１およびビード２２を有する。レール２１は、壁面３ａ，３ｂにそれぞれ取り付けられている。なお、レール２１は、ガイドレール５に対して固定されてもよい。レール２１は、断面Ｃ字形状であり、互いに対向する面にスリットが形成されている。レール２１は、開閉方向に延在しており、シャッターカーテン４の所定部４１に対応する範囲に配置されている。すなわち、レール２１は、シャッターカーテン４の下端から所定部４１の上端までの範囲に対応して配されている。なお、レール２１のスリットは、シャッターカーテン４と対向する面に形成されてもよい。
【００２８】
ビード２２は、レール２１内に挿入可能である。ビード２２は、断面Ｃ字形状であり、Ｃ字の両端部が外側に向けて突出している。ビード２２は、軽量でかつ可撓性を有する素材、例えば樹脂素材で形成されている。ビード２２は、これに代えて、アルミニウムなどの金属素材で形成されてもよい。なお、レール２１とビード２２とは一体のものであってもよい。
【００２９】
シート１０の幅方向の両端には、それぞれジッパー１１が配置されている。ジッパー１１は、シート１０の縁部に配置されており、シート１０の長さ方向（開閉方向）に延在している。ジッパー１１は、円柱形状であり、ビード２２の中空部に挿入可能である。ビード２２のスリット幅は、ジッパー１１の外径よりも小さいため、ジッパー１１がスリットを介してビード２２から抜け出ることが規制される。なお、ジッパー１１は、断面円形のものには限定されず、例えば、断面が多角形状のものであってもよい。
【００３０】
シート１０を開口部２に設置する場合、まずシート１０のジッパー１１がビード２２の中空部に挿入される。次いで、図１に矢印Ｙ１に示すように、ビード２２がレール２１に対して開閉方向に挿入される。シート１０の幅は、開口部２の幅Ｗ（図２参照）、言い換えると壁面３ａと壁面３ｂとの距離よりも大きい。このため、シート１０の両端部が保持部２０によって保持された状態で、シート１０はたるみを有している。つまり、保持部２０は、シート１０がたるみを有した状態でシート１０を保持し、シート１０が保持部２０よりもシャッターカーテン４側に向けて撓んで所定部４１と接触することを許容する。従って、シート１０が保持部２０によって保持された状態で、シート１０をガイドレール５およびシャッターカーテン４に沿わせ、ガイドレール５およびシャッターカーテン４と互いに接触した状態に設置することが可能である。なお、保持部２０に保持され、かつ水圧がかかる前の状態において、シート１０がシャッターカーテン４、ガイドレール５および壁面３ａ，３ｂに密着可能な程度のたるみを有していることが好ましい。
【００３１】
なお、シート１０を構造物１に対して保持する手段は、ビード２２およびレール２１によるものには限定されない。例えば、構造物１に設置されたレール２１によって直接シート１０が保持されてもよい。また、粘着式のテープや面ファスナー等によってシート１０が構造物１に固定されてもよい。あるいは、シート１０を構造物１に対して保持することができる他の公知の手段が用いられてもよい。
【００３２】
図１に示すように、シート１０には、固定手段として、例えばマグネット１２が設けられている。マグネット１２は、シート１０の上端部に配置されている。マグネット１２の吸引力によって、シート１０の上端部がシャッターカーテン４に対して固定される。マグネット１２は、予めシート１０に固定されていてもよいが、これに代えて、シート１０にポケット部を設けておき、シート１０の設置時にマグネット１２をポケット部に入れるようにしてもよい。マグネット１２によってシート１０がシャッターカーテン４に向けて吸引されることにより、シート１０が垂れ下がることが抑制される。これにより、シート１０の上端を狙いとする水位の位置よりも上方に保持しておくことができる。
【００３３】
なお、シート１０をシャッターカーテン４に対して保持する固定手段は、マグネット１２に限定されるものではない。例えば、粘着式のテープや面ファスナー、吸盤等によってシート１０がシャッターカーテン４に対して固定されてもよい。
【００３４】
シート１０の開閉方向の長さは、シャッターカーテン４の所定部４１の開閉方向の長さよりも長い。従って、シート１０が保持部２０によって保持された状態で、シート１０の鉛直方向下端部を床面８上に垂らし、床面８に沿わせることが可能である。シート１０は、このシート１０の鉛直方向下端部を床面８に沿って屋外側に向けて延在させた状態で設置される。言い換えると、シート１０は、鉛直方向下端部が床面８と互いに対向し、かつ先端側へ向かうに従いシャッターカーテン４から離間するように配置される。本明細書では、シート１０の鉛直方向下端部であって、シート１０が保持部２０によって保持された状態で床面８に沿って延在する部分を「シート下部１３」と記載する。
【００３５】
本実施形態では、押圧部材１６がシート下部１３に載置される。押圧部材１６は、シート１０を構造物１に向けて押圧するものであり、例えばシート１０を床面８に向けて押圧する。図１に示すように、押圧部材１６は、シート下部１３上に開口部２の幅方向に沿って連続的に配置される。押圧部材１６は、隙間無く配置されても、隣接する押圧部材１６の間に所定の隙間をあけて配置されてもよい。押圧部材１６は、棒状あるいは板状であることが好ましい。本実施形態に係る押圧部材１６は、板状のフラットバーである。押圧部材１６は、例えば金属製であり、浮力に抗してシート下部１３を床面８に向けて押圧することができる質量や密度を有している。押圧部材１６は、シート下部１３が床面８に沿って配置された後でシート下部１３の上に設置される。
【００３６】
図１および図３に示すように、押圧部材１６は、シャッターカーテン４の下端部の近傍、すなわちシート１０がシャッターカーテン４に沿った部分から床面８に沿った部分へと屈曲した位置に配置されている。これにより、シャッターカーテン４の下端部の近傍においてシート１０を床面８に密着させておくことができる。
【００３７】
洪水やゲリラ豪雨等によって屋外の水嵩が増すと、まずシート下部１３が水に接する。水圧によってシート下部１３は床面８に向けて押圧されて床面８に密着する。これにより、シート下部１３と床面８との間から水が浸入することが抑制される。また、押圧部材１６によってシート下部１３が床面８に向けて押圧されていることで、低水位の場合であってもシート下部１３と床面８との隙間を介した浸水がより確実に抑制される。本実施形態に係る押圧部材１６は、開口部２の幅方向に沿って、すなわち開口部２の外周に沿って連続的に設けられている。本実施形態では、複数の押圧部材１６が開口部２の幅方向に沿って連続的に配置される。これにより、シート下部１３と床面８との間に隙間が生じることが抑制される。また、押圧部材１６は、水流等によってシート下部１３が浮き上がることを抑制することが可能である。シート１０は、水圧によって所定部４１と、所定部４１に隣接する床面８とを一体に覆うことができる。
【００３８】
また、図２に白抜き矢印で示すように、シート１０において、シャッターカーテン４やガイドレール５、壁面３ａ，３ｂを覆う部分は、水圧によってシャッターカーテン４、ガイドレール５、壁面３ａ，３ｂに向けて押圧される。これにより、シート１０は、シャッターカーテン４の所定部４１と、所定部４１に隣接するガイドレール５、壁面３ａ，３ｂとを一体に覆うことができる。シート１０は、水圧によって押圧されることにより、シャッターカーテン４、ガイドレール５、壁面３ａ，３ｂ等に密着し、シート１０とシャッターカーテン４、ガイドレール５、壁面３ａ，３ｂとの間に水が浸入することを抑制することができる。
【００３９】
また、シート１０は、水圧によってシャッターカーテン４とガイドレール５との隙間やガイドレール５と壁面３ａ，３ｂとの隙間を塞ぐことで、これらの隙間を介した屋内側への浸水を抑制することができる。また、シート１０は、互いに隣接するスラット４ａ，４ａの隙間を塞ぐことで、この隙間を介した屋内側への浸水を抑制することができる。また、シート１０は、水圧によってシャッターカーテン４の所定部４１と、所定部４１に隣接する床面８との隙間を塞ぐことで、シャッターカーテン４と床面８との隙間を介した屋内側への浸水を抑制することができる。
【００４０】
シート１０は、水圧によってシャッターカーテン４等に対して押圧されるため、水位が増加するに従いシャッターカーテン４等に対する密着性が増し、また各隙間を閉塞する閉塞性が増す。よって、シート１０は、水位に応じて遮水性能が増し、適切に屋内側への浸水を抑制することができる。
【００４１】
また、シート１０は、予めたるみを有した状態で保持部２０によって保持されているため、水位の増加に応じて水圧によって速やかにシャッターカーテン４やガイドレール５等に密着することが可能である。また、たるみを有しているため、シャッターカーテン４とガイドレール５との隙間など、各部の隙間の形状に対応して適切に変形・屈曲し、各隙間を速やかにかつ適切に閉塞することができる。
【００４２】
防水性を高める観点からは、押圧部材１６は、シート１０の壁面をカバーする部分１５の下端１５ａの上に載置されることが好ましい。本実施形態に係るシート１０は、所定部４１と、所定部４１に隣接する床面８と、所定部４１に隣接し、かつ開口部２の幅方向において互いに対向する壁面３ａ，３ｂとを一体に覆うものである。シート１０のうち、壁面をカバーする部分１５の開閉方向の長さは、保持部２０の長さよりも大きい。壁面をカバーする部分１５は、保持部２０によってシート１０が保持された状態で、壁面３ａ，３ｂと床面８とを一体に覆うことができる。壁面をカバーする部分１５の下端１５ａは、シート下部１３の上に重ねられる。
【００４３】
壁面をカバーする部分１５が壁面３ａ，３ｂと床面８とを一体に覆うことで、床面８と壁面３ａ，３ｂとが交わる隅部Ａからの浸水が抑制される。また、押圧部材１６が壁面をカバーする部分１５の下端１５ａの上に載置されることで、隅部Ａからの浸水が更に抑制される。
【００４４】
防水性を高める観点からは、各押圧部材１６が互いに端部を接するようにして開口部２の幅方向に連続的に配置されることが好ましい。このようにすれば、シート下部１３と床面８との隙間をより低減することができる。また、押圧部材１６は、開口部２の幅方向の一端から他端まで連続的に設けられることが好ましい。例えば、図４に示すように、押圧部材１６が、一方の壁面３ａから他方の壁面３ｂまで連続的に、かつ互いに端部を接して配置されることが好ましい。
【００４５】
開口部２の幅方向の端部に配置された押圧部材１６は、その端部によってシート１０の壁面をカバーする部分１５を壁面３ａ，３ｂに向けて押圧するように設置されることが好ましい。例えば、最も壁面３ｂ側に配置された押圧部材１６は、その壁面３ｂ側の端部によってシート１０を壁面３ｂに向けて押圧するように設置されることが好ましい。これにより、シート１０と壁面３ａ，３ｂとの隙間を減少させ、屋内側への水の浸入を抑制することができる。
【００４６】
なお、本実施形態では、複数の押圧部材１６がシート下部１３に配置されたが、押圧部材１６は一つであってもよい。例えば、複数の押圧部材１６の総延長と同じ長さの一本の押圧部材１６によってシート下部１３を床面８に向けて押圧するようにしてもよい。
【００４７】
シート１０に取扱説明書や取扱説明図が表示されてもよい。例えば、開口部の防水装置１−１に含まれる構成要素の一覧や設置方法・設置手順をシート１０にプリントしておくようにすれば、洪水等の非常時に設置作業を速やかに行うことが可能となる。
【００４８】
なお、押圧部材１６は、板状のフラットバーに代えて、バラスト（土嚢）であってもよい。バラストは、例えば、シート１０に内蔵される。バラストは、例えば、２枚重ねのシート１０の間に内蔵されるが、これに限定されるものではなく、シート１０の表面に接着・縫製等によって固定されてもよい。バラストは、シート下部１３に予め配置されることができる。バラストの設置位置は、例えば、図１に破線の楕円で示す位置、すなわちフラットバーを載置する位置と同様の位置とすることができる。
【００４９】
本実施形態では、壁面をカバーする部分１５の下端１５ａは、シート下部１３と分かれているが、これには限定されない。例えば、壁面をカバーする部分１５の下端１５ａは、シート下部１３と一体であってもよい。この場合、シート１０を開口部２に設置するときに、下端１５ａとシート下部１３との接続部分を折り畳んでシート下部１３の上に重ねることが好ましい。押圧部材１６は、シート下部１３の上に重ねられた折り畳み部分の上に載置されて、折り畳み部分を床面８に向けて押圧することが好ましい。
【００５０】
［第１実施形態の第１変形例］
第１実施形態の第１変形例について説明する。図５は、第１実施形態の第１変形例に係る押圧部材の設置状態を示す斜視図、図６は、第１実施形態の第１変形例に係る押圧部材の設置状態を示す断面図である。本変形例に係る押圧部材１６において、上記第１実施形態の押圧部材１６と異なる点は、構造物１の形状に応じて変形可能な点である。
【００５１】
図５および図６に示すように、押圧部材１６は、本体１６ａと変形部１６ｂとを含んで構成されている。本体１６ａは、上記第１実施形態の押圧部材１６と同様のフラットバーであり、金属等の比較的比重が大きい素材や剛性が高い素材で構成されることができる。変形部１６ｂは、弾性変形や塑性変形等の変形が可能なものであり、例えばゴムで構成されている。変形部１６ｂは、板状に形成されており、本体１６ａの一面と変形部１６ｂの一面とが接着等により固定されている。押圧部材１６は、図６に示すように、変形部１６ｂにおける本体１６ａ側と反対側の面（以下、「設置面」と称する。）１６ｅをシート１０に向けて載置される。
【００５２】
押圧部材１６をシート下部１３に設置する場合、押圧部材１６は、設置面１６ｅを下方に向けてシート下部１３上に載置される。本実施形態の変形部１６ｂは、シート下部１３上に載置されると、押圧部材１６の自重によって床面８の形状に応じて変形する。例えば、図６に示すように床面８に凹凸がある場合、押圧部材１６の自重によって床面８の凹凸に応じて変形部１６ｂが変形する。変形部１６ｂは、床面８の凸部の形状に応じた凹形状に変形し、床面８の凹部の形状に応じた凸形状に変形する。これにより、凹凸を有する床面８にシート下部１３が設置された場合に押圧部材１６によってシート下部１３を床面８の凹部や凸部に向けて押圧し、シート下部１３と床面８との隙間を低減することができる。
【００５３】
また、押圧部材１６は、床面８が湾曲している場合には、自重によってその湾曲形状に応じて変形することができる。従って、本変形例に係る押圧部材１６は、容易に設置でき、シート下部１３が床面８から浮き上がることを抑制し、屋内側への浸水を抑制することができる。
【００５４】
なお、変形部１６ｂは、床面８等の面に対してユーザーによって押圧されることで面の形状に応じて変形し、ユーザーによる押圧力がなくなった後もその形状を維持するものであってもよい。一例として、ユーザーによる押圧力がなくなった後も自重により形状を維持できる素材で変形部１６ｂを構成するようにしてもよい。
【００５５】
本変形例では、押圧部材１６の一部が変形部１６ｂであったが、これに代えて、押圧部材１６の全体が変形部１６ｂとされてもよい。
【００５６】
［第１実施形態の第２変形例］
第１実施形態の第２変形例について説明する。図７は、隅部における隙間の説明図、図８は、第１実施形態の第２変形例に係る押圧部材の設置状態を示す斜視図、図９は、第１実施形態の第２変形例に係る押圧部材の設置状態を示す断面図である。本変形例に係る押圧部材１６において、上記第１実施形態の第１変形例に係る押圧部材１６と異なる点は、端部に変形部が設けられている点である。
【００５７】
図７に示すように、壁面３ａ，３ｂと床面８とが交わる隅部Ａでは、シート１０の壁面をカバーする部分１５との間に隙間が生じやすい。シート１０に水圧が掛かれば隅部Ａに向けて押圧されて隙間が小さくなるものの、水位が低くシート１０に掛かる水圧が十分でない場合、隅部Ａの隙間からの浸水が無視できないものとなる可能性がある。
【００５８】
本変形例に係る押圧部材１６は、端部に変形部を有していることによって、隅部Ａの隙間を低減させて浸水を抑制することができる。図８および図９に示すように、押圧部材１６は、端部変形部１６ｃを有する。端部変形部１６ｃは、押圧部材１６の長手方向の一端に配置されており、シート下部１３上に設置されたときに、開口部２の幅方向において壁面３ａ，３ｂと対向する。端部変形部１６ｃは、弾性変形や塑性変形等の変形が可能なものであり、例えばゴムで構成されている。端部変形部１６ｃは、壁面３ａ，３ｂに向けて押圧されることで壁面３ａ，３ｂの形状に応じて変形可能である。端部変形部１６ｃは、矩形の板状に形成されており、本体１６ａおよび変形部１６ｂの端面に対して接着等により固定されている。なお、変形部１６ｂと端部変形部１６ｃとは一体に形成されてもよい。
【００５９】
端部変形部１６ｃを有する押圧部材１６は、端部変形部１６ｃにおける本体１６ａ側と反対側の面（以下、「押圧面」と称する。）１６ｆを壁面３ａ，３ｂに向け、かつ設置面１６ｅを床面８に向けて、シート下部１３上に載置される。押圧部材１６は、端部変形部１６ｃによってシート１０を壁面３ａ，３ｂに向けて押圧するように設置されることが好ましい。端部変形部１６ｃが壁面３ａ，３ｂに向けて押圧されて壁面３ａ，３ｂの形状に応じて変形することで、シート１０と壁面３ａ，３ｂとの隙間やシート１０と隅部Ａとの隙間からの浸水が抑制される。
【００６０】
図９に示すように、端部変形部１６ｃは、角部１６ｄを有している。押圧部材１６は、角部１６ｄを有していることによって、隅部Ａの隙間を低減させて浸水を抑制することができる。角部１６ｄは、シート下部１３上に載置されたときに隅部Ａに対応する角部、すなわち押圧部材１６の下面と端面とがなす角部である。角部１６ｄの形状は、隅部Ａの形状に対応している。本実施形態では、隅部Ａは直角であり、これに対応して角部１６ｄは直角に形成されている。押圧部材１６は、角部１６ｄと隅部Ａとの間にシート１０を挟んで設置される。端部変形部１６ｃを壁面３ａ，３ｂに向けて押圧して押圧部材１６が設置されると、角部１６ｄは、シート１０を隅部Ａに向けて押圧する。これにより、隅部Ａとシート１０との隙間が低減し、水位が低い場合であっても隅部Ａからの浸水が適切に抑制される。
【００６１】
端部変形部１６ｃを壁面３ａ，３ｂに向けて押圧して設置するためには、例えば、押圧部材１６の総延長を開口部２の幅Ｗよりも大きくするようにすればよい。このようにして、図４に示すように押圧部材１６を開口部２の幅方向の一端から他端まで連続的に配置する場合、端部変形部１６ｃが押し縮められた状態となる。よって、端部変形部１６ｃによって、シート１０を壁面３ａ，３ｂおよび隅部Ａに向けて押圧し、密着性を高めることができる。
【００６２】
なお、シャッター装置の構成によっては、シート１０を押し付けることができる壁面が存在しない場合もある。図１０は、押圧部材によってシートをガイドレールに向けて押圧する設置方法の説明図である。図１０に示すように、保持部２０がガイドレール５に取り付けられることがある。この場合、押圧部材１６によってガイドレール５に向けてシート１０を押圧することで、防水性を高めることができる。
【００６３】
図１０に示すように、本体１６ａおよび端部変形部１６ｃによってシート１０をガイドレール５に向けて押圧するようにして、押圧部材１６がシート下部１３上に設置される。これにより、シート１０とガイドレール５との隙間が低減される。また、ガイドレール５と床面８とが交わる隅部における隙間が低減される。よって、床面８近くの隙間を極力小さくして低水位の状態での浸水を抑制することができる。
【００６４】
図１１は、シートをガイドレールに向けて押圧する押圧部材の他の一例を示す図である。図１１に示す押圧部材１６は、本体１６ａに対して長手方向と直交する方向に突出する変形部１６ｇを有する。変形部１６ｇは、弾性変形や塑性変形等の変形が可能なものであり、例えばゴムで構成されている。変形部１６ｇは、押圧部材１６の端部の側面に配置されている。変形部１６ｇは、端部変形部１６ｃや変形部１６ｂの一部を突出させたものであってもよい。押圧部材１６は、変形部１６ｇによってシート１０をガイドレール５に向けて押圧するように設置される。なお、図１１に示す押圧部材１６では、本体１６ａをフラットバーに代えてアングル鋼としてもよい。
【００６５】
［第１実施形態の第３変形例］
図１２に示すように、シート下部１３の幅方向の端部は、開口部２の幅に応じて予め端部処理がなされていてもよい。図１２は、第１実施形態の第３変形例に係るシートの幅方向の端部を示す図である。シート下部１３の幅が、開口部２の幅よりも大きい場合、シート下部１３を床面８に密着させるためには、幅方向の両端部１３ａを適切に処理する必要がある。ここで、シート下部１３の両端部１３ａになんら処理が施されていない状態で、設置時にシート下部１３の両端部１３ａを現場の納まりに合わせようとすると、シート１０の折り目などでしわ等ができる虞がある。この場合、生じたしわ等による隙間から水が浸入しやすくなり、止水性能の低下につながる可能性がある。また、施工者によってシート１０の納まりが異なり、止水性能に影響する可能性がある。
【００６６】
本変形例では、シート下部１３の両端部１３ａが、予め折りたたまれている。両端部１３ａは、シート下部１３の下面側、すなわち設置時に床面８と対向する側に折り返された状態に固定されている。固定方法は、両面テープ等による接着・縫製等の方法によることができる。これにより、しわ等が生じていない状態でシート下部１３を床面８に設置することが可能となる。シート下部１３の幅は、両端部１３ａが折り返された状態で開口部２の幅と一致している。これにより、シート下部１３と壁面３ａ，３ｂとの間に隙間が生じることが抑制される。なお、シート下部１３の両端部１３ａは、シート下部１３の上面側に折り返されてもよい。
【００６７】
予めシート下部１３がコーナーの納まりに合わせて折りたたんだ状態とされていることで、現場で行うシート１０の取付け調整がし易くなる。標準的な取付けができ、取付け時間が短縮されると共に、止水性能がアップするという利点がある。
【００６８】
なお、シート下部１３の両端部１３ａを折りたたんだ状態としておくことに代えて、シート下部１３の両端部を開口部２の幅に応じて予めカットしておくようにしてもよい。この場合において、壁面３ａ，３ｂに凹凸がある場合、その凹凸に合わせた形状にシート下部１３の両端部をカットしておくようにしてもよい。その他、現場での調整作業量を低減し、あるいは調整作業を不要とできるようにシート下部１３の両端部１３ａの端部処理がなされることができる。すなわち、壁面３ａ，３ｂやガイドレール５、レール２１等の形状や凹凸に合わせて両端部１３ａを予め形作っておく他の手段が採用されてもよい。
【００６９】
［第１実施形態の第４変形例］
第１実施形態の第４変形例について説明する。図１３は、第１実施形態の第４変形例に係るシートを示す図である。シート１０に、押圧部材１６の設置位置が表示されてもよい。この表示は、例えば、帯状のマークとすることができる。
【００７０】
なお、シート下部１３を床面８に向けて押圧する方法は、磁力によるものであってもよい。例えば、床面８に鉄板等を予め埋め込んでおき、マグネットの磁力によってシート下部１３を鉄板に向けて押圧することが可能である。
【００７１】
また、シート１０には、開閉方向の位置合わせの目安となるマーク１７が表示されている。マーク１７は、保持部２０によって保持されたシート１０のシャッターカーテン４に沿った範囲の下端を示す。つまり、マーク１７は、シート１０におけるシャッターカーテン４の下端に対応する位置を示すものである。このマーク１７に基づいてシート１０の開閉方向における位置決めがなされることで、シート１０の下端側におけるカバー漏れの発生が抑制される。
【００７２】
［第１実施形態の第５変形例］
第１実施形態の第５変形例について説明する。図１４は、第１実施形態の第５変形例に係る開口部の防水装置１−１を示す図である。本変形例に係る押圧部材１８は、吸水性を有する。押圧部材１８は、例えば棒状あるいは板状の部材であり、その長さはシート下部１３の幅に対応している。従って、押圧部材１８は、シート下部１３の幅方向の一端から他端までを押さえてシート１０の浮き上がりを抑制することができる。押圧部材１８は、シート１０に予め取付けられている。
【００７３】
押圧部材１８は、例えば、スポンジ、フェルト、布等の水を吸い込む素材で構成されている。これらの素材は、シート１０と共に折りたたみやすく、かつ乾燥時には軽くなるため、収納・運搬・設置等における利便性が向上する。なお、押圧部材１８の素材は、例示したものには限定されず、他の公知の素材が用いられてもよい。
【００７４】
シート下部１３の縁部の浮き上がりを抑制する観点からは、押圧部材１８によってシート下部１３を縁取ることが好ましい。押圧部材１８は例えば、シート下部１３における最も屋外側の縁部１３ｂに配置される。図１５は、押圧部材１８の配置の一例を示す図である。押圧部材１８は、屋外側の縁部１３ｂに加えて、幅方向の端部の縁部１３ｃに配置されてもよい。図１５に示す押圧部材１８は、屋外側の縁部１３ｂに沿って延在する第一の部分１８ａと、幅方向の両端の縁部１３ｃに沿って延在する第二の部分１８ｂとを有する。第一の部分１８ａと第二の部分１８ｂとは一体に形成されている。第二の部分１８ｂは、幅方向の両端の縁部１３ｃにおける先端側の所定の範囲に配置されている。このように押圧部材１８がシート下部１３の隅部を押さえるように配置されることで、シート下部１３の浮き上がりが効果的に抑制される。
【００７５】
［第１実施形態の第６変形例］
第１実施形態の第６変形例について説明する。本変形例では、シート１０の一部がシャッターカーテン４と床面８との間に挟まれ、シャッターカーテン４によって床面８に向けて押圧される。これにより、シャッターカーテン４を錘代わりに用いてシート下部１３の浮き上がりを抑制することができる。図１６、図１７、および図１８は、本変形例に係るシート１０を示す断面図である。
【００７６】
図１６に示すシート１０は、シート下部１３の先端側の一部が屋内側に向けて折り返されている。シート下部１３における屈曲部１３ｄよりも先端側の部分１３ｅは、シャッターカーテン４の座板４ｂよりも屋内側まで延在するように設置される。例えば、シャッターカーテン４を全閉位置よりもわずかに開方向に移動させた状態で、先端側の部分１３ｅが座板４ｂと床面８との間に差し込まれる。その後、シャッターカーテン４は全閉位置まで移動され、先端側の部分１３ｅを床面８に向けて押圧する。
【００７７】
このようにシャッターカーテン４によって先端側の部分１３ｅが押さえられていることで、シート下部１３の浮き上がりが抑制される。また、シャッターカーテン４と床面８との間にシート下部１３が挟まれてシャッターカーテン４と床面８との隙間を閉塞する。これにより、シャッターカーテン４と床面８との隙間を介した浸水が抑制される。
【００７８】
図１７に示すシート１０は、第一のシート２５と第二のシート２６とが接続されたものである。第一のシート２５は、シャッターカーテン４と互いに対向して配置され、開閉方向に延在するシートである。第二のシート２６は、床面８と互いに対向して配置されるシートである。第一のシート２５は、第二のシート２６の上面に接続されている。第二のシート２６において、第一のシート２５よりも屋外側の部分２６ａがシート下部１３として機能する。第二のシート２６において、第一のシート２５よりも屋内側の部分２６ｂは、シャッターカーテン４と床面８との間に挟まれるように配置される。
【００７９】
図１８に示すシート１０は、第一のシート２７と第二のシート２８とが接続されたものである。第一のシート２７は、シャッターカーテン４と互いに対向して配置される部分２７ｂと、床面８と互いに対向して配置される部分２７ｃとを有する。床面８と互いに対向して配置される部分２７ｃは、シート下部１３として機能する。第一のシート２７と第二のシート２８とは、長さ方向の一端２７ａ、２８ａを互いに重ね合わせるようにして接続されている。具体的には、第一のシート２７のシート下部１３の先端２７ａと、第二のシート２８の先端２８ａとが重ね合わされている。第二のシート２８は、第一のシート２７に対して下面側に接続されている。
【００８０】
第二のシート２８は、第一のシート２７と重ね合わされた端部２８ａがシャッターカーテン４よりも屋外側に位置し、かつ他端２８ｂがシャッターカーテン４よりも屋内側に位置するように床面８と互いに対向して配置される。第二のシート２８は、シャッターカーテン４と床面８との間に挟まれ、床面８に向けて押圧される。第一のシート２７と第二のシート２８とが重ね合わされて接続されることで、屋外側の端部２７ａ，２８ａの浮き上がりが抑制される。
【００８１】
［第１実施形態の第７変形例］
第１実施形態の第７変形例について説明する。上記第１実施形態では、開口部２を開閉する開閉体がシャッターカーテン４であったが、これには限定されない。例えば、開閉体は、スイング式の開き戸であってもよい。図１９は、開き戸に設置される開口部の防水装置１−２を示す図である。構造物１の壁面３ａ，３ｂには、ドア枠２９が配置されている。ドア３０は、ヒンジ３１を介してドア枠２９によって回動自在に支持されている。シート１０は、ドア３０よりも屋外側に設置される。シート１０の両端は、例えば、上記第１実施形態の保持部２０と同様の保持部２０によって保持される。より簡易的には、粘着式のテープや面ファスナー等を介してシート１０が構造物１によって保持されてもよい。シート１０は、ドア３０と、ドア枠２９、ヒンジ３１、壁面３ａ，３ｂとを一体に覆う。これにより、ドア３０とドア枠２９との隙間やドア３０と床面８との隙間等からの浸水が抑制される。
【００８２】
また、開閉体は、自動ドア等のスライド式のものであってもよい。図２０は、自動ドアに設置される開口部の防水装置１−３を示す図である。図２０には、開口部２の幅方向に開閉する２枚のドア３４を有する引分け式の自動ドアが示されている。構造物１の一部をなす側壁３２の端部には、方立て３３が接続されている。ドア３４は、方立て３３よりも屋内側に配置されている。シート１０は、保持部２０を介して方立て３３によって保持されている。シート１０は、一対のドア３４と各方立て３３とを一体に覆う。これにより、ドア３４と方立て３３との隙間やドア３４と床面との隙間等からの浸水が抑制される。
【００８３】
また、開閉体は、グリル式のシャッターであってもよい。図２１は、グリルシャッター４４に対するシート１０の取付け方法の一例を示す図である。グリルシャッター４４は、複数のパイプ４５が開閉方向に所定の間隔で配置され、かつ互いに連結されている。シート１０は、フック３５を介してパイプ４５によって保持される。シート１０には、取付孔１９が形成されており、取付孔１９はハトメによって補強されている。Ｓ字形状のフック３５の一端が取付孔１９に挿入され、他端がパイプ４５に掛けられる。これにより、グリルシャッター４４に対して容易にシート１０を配置することができる。
【００８４】
なお、グリルシャッター４４にシート１０を配置する場合、シート１０とグリルシャッター４４との間に、板状部材や網状部材等の補助部材を配置するようにしてもよい。補助部材は、グリルシャッター４４の所定部をカバーするものである。補助部材が水圧に抗してシート１０を支持することで、シート１０が互いに隣接するパイプ４５の間から屋内側に突出することが抑制される。
【００８５】
その他に開口部の防水装置１−１を適用可能な開閉体としては、スラットやパイプ以外に、パネルやシート状物、ネット状物を開閉方向へ単数もしくは複数連接してなる態様、あるいはスラット、パネル、パイプ、シート状物、ネット状物等を適宜に組み合わせてなる態様のものが挙げられる。
【００８６】
［第１実施形態の第８変形例］
第１実施形態の第８変形例について説明する。押圧部材は、シート１０を床面８に向けて押圧するように設置されることに加えて、シート１０を壁面３ａ，３ｂに向けて押圧するように設置されてもよい。図２２は、第１実施形態の第８変形例に係る押圧部材を示す図である。図２２に示すように、本変形例に係る押圧部材５０は、本体５０ａと、変形部５０ｂとを含んで構成されている。取扱を容易にできるように、押圧部材５０は軽量な素材で構成されることが好ましい。本体５０ａは、フラットバーであり、剛性が高い素材で構成されることができる。変形部５０ｂは、弾性変形や塑性変形等の変形が可能なものであり、例えばゴムで構成されている。変形部５０ｂは、板状に形成されており、本体５０ａの一面と変形部５０ｂの一面とが接着等により固定されている。押圧部材５０は、変形部５０ｂにおける本体５０ａ側と反対側の設置面５０ｃをシート１０に向けて設置される。
【００８７】
押圧部材５０は、例えば、押圧装置５１によって壁面３ａ，３ｂに向けて押圧される。押圧装置５１は、本体５２と固定部５３とを有する。本体５２は、平面視における形状が直角三角形の部材である。本体５２は、直角を挟む一辺５２ａによって押圧部材５０を壁面３ａ，３ｂに向けて押圧した状態で、直角を挟むもう一方の辺が固定部５３によって床面８に固定される。固定部５３は、例えば、ボルトとナットの組合せによって本体５２を床面８に対して固定する。本変形例に係る押圧部材５０および押圧装置５１は、シート１０を保持する保持部として機能することができる。
【００８８】
なお、押圧部材５０を壁面３ａ，３ｂに向けて押圧する手段は、例示したものには限定されない。例えば、突っ張り棒によって押圧部材５０が壁面３ａ，３ｂに向けて押圧されてもよい。また、磁力によって押圧部材５０が壁面３ａ，３ｂに向けて吸引されるようにしてもよい。
【００８９】
［第２実施形態］
図２３を参照して、第２実施形態について説明する。第２実施形態については、上記実施形態で説明したものと同様の機能を有する構成要素には同一の符号を付して重複する説明は省略する。図２３は、本実施形態に係る開口部の防水装置２−１の支持部材を示す図である。本実施形態の開口部の防水装置２−１において、上記第１実施形態の開口部の防水装置１−１，１−２，１−３と異なる点は、開閉体を支持する支持部材を備える点である。シャッター装置の強度は、耐風圧性能を満足するように設計されているが、ゲリラ豪雨などの洪水時にシャッター装置に係る水圧は、風圧よりも遙かに大きい。このため、シート１０を設置して止水する場合、水圧による力に抗してシャッターカーテン４を支持しておけることが好ましい。
【００９０】
図２３に示すように、シャッターカーテン４よりも屋内側の床面８には、取付孔３６が設けられている。取付孔３６は、シャッターカーテン４の厚さ方向に沿って配列されている。支持部材３７は、当接部３７ａおよび取付孔３６に対応する突起３７ｂを有している。当接部３７ａは、シャッターカーテン４と当接してシャッターカーテン４の厚さ方向（以下、単に「厚さ方向」と記載する。）の変形を抑制する。支持部材３７は、三角形状をなしており、当接部３７ａはその一辺である。突起３７ｂは、他の一辺に配置されており、外方に向けて突出している。支持部材３７は、例えば、直角三角形であり、この場合、当接部３７ａの一辺と突起３７ｂを有する一辺とは直交する。突起３７ｂは、取付孔３６に挿入されて、支持部材３７が厚さ方向に移動することを規制する。
【００９１】
支持部材３７は、突起３７ｂおよび取付孔３６によって位置決めされて、例えば、シャッターカーテン４の座板４ｂと厚さ方向において互いに対向するように設置される。屋外側からシャッターカーテン４にかかる水圧によってシャッターカーテン４が屋内側に撓むと、座板４ｂが支持部材３７の当接部３７ａと当接する。これにより、座板４ｂの更なる変形が抑制される。座板４ｂの変形が抑制されることで、座板４ｂと連接された各スラット４ａの変形も抑制される。つまり、支持部材３７は、屋外側からの水圧による力に抗してシャッターカーテン４を支持することでシャッターカーテン４の変形を抑制する。
【００９２】
支持部材３７は、座板４ｂを支持することにより、シャッターカーテン４の変形を抑制し、シャッターカーテン４がガイドレール５から抜け出ることを抑制することができる。また、支持部材３７は、シャッターカーテン４の変形に起因する浸水を抑制することができる。支持部材３７を備えることで、間口の広い開口部２や、比較的強度の低い開閉体が配置された開口部２であっても、開口部の防水装置２−１を適用可能とすることができる。
【００９３】
［第２実施形態の第１変形例］
第２実施形態の第１変形例について説明する。本変形例の支持部材は、床面８に収納される点が上記第２実施形態の支持部材３７と異なる。図２４は、本変形例に係る支持部材３８を示す図、図２５は、本変形例に係る他の支持部材４０を示す図である。
【００９４】
図２４に示すように、支持部材３８は、床面８に形成された凹部８ａに収納される。支持部材３８は、三角形状をなしており、凹部８ａの底面８ｂに対してヒンジ等を介して連結されている。支持部材３８は、ヒンジの軸線周りに回動自在であり、凹部８ａ内に収まるように倒された状態と、起立して凹部８ａから突出した状態とに切り替え可能である。支持部材３８は、起立した状態で当接部３８ａがシャッターカーテン４と厚さ方向において互いに対向する。支持部材３８が凹部８ａ内に収納されるときには、凹部８ａに蓋３９がなされる。
【００９５】
図２５に示す支持部材４０は、支持部材３８と同様に、凹部８ａに収納される。支持部材４０は、円柱形状をなしており、凹部８ａの底面８ｂに対してヒンジ等を介して連結されている。支持部材４０は、ヒンジの軸線周りに回動自在であり、凹部８ａ内に収まるように倒された状態と、起立して凹部８ａから突出した状態とに切り替え可能である。支持部材４０は、起立した状態でシャッターカーテン４と厚さ方向において互いに対向する。支持部材４０が凹部８ａ内に収納されるときには、凹部８ａに蓋４１がなされる。
【００９６】
本変形例の支持部材３８，４０によれば、支持部材３８，４０を持ち運ぶ必要がないため、設置時間の短縮が可能となる。また、蓋３９，４１によって床面８がフラットな状態に保たれるため、通行の支障となることもない。
【００９７】
［第２実施形態の第２変形例］
第２実施形態の第２変形例について説明する。本変形例の支持部材は、屋外側に配置される点が上記第２実施形態の第１変形例の支持部材３８，４０と異なる。図２６は、本変形例に係る支持部材４２を示す図、図２７は、本変形例に係る他の支持部材４３を示す図である。
【００９８】
図２６に示す支持部材４２は、ワイヤーその他の紐状部材であり、床面８と座板４ｂとを連結する。支持部材４２の一端は座板４ｂと連結されており、他端は座板４ｂよりも屋外側の床面８と連結されている。これにより、支持部材４２は、屋外側からの水圧による力に抗してシャッターカーテン４を支持し、シャッターカーテン４が屋内側に向けて撓むことを抑制することができる。
【００９９】
図２７に示す支持部材４３は、フック状の部材であり、床面８と座板４ｂとを連結する。支持部材４３は、湾曲したＵ字形状あるいはＪ字形状の部材である。支持部材４３の一端は、座板４ｂよりも屋外側の床面８に形成された取付孔に挿入され、他端は座板４ｂの受け部に挿入される。受け部は、座板４ｂに形成された凹部や孔部であり、支持部材４３と係合する。支持部材４３は、屋外側からの水圧による力に抗してシャッターカーテン４を支持し、シャッターカーテン４が屋内側に向けて撓むことを抑制することができる。
【０１００】
［第２実施形態の第３変形例］
第２実施形態の第３変形例について説明する。本変形例の支持部材は、床面８に形成された凹凸部である点が上記第２実施形態の第１変形例および第２変形例の支持部材３８，４０，４２，４３と異なる。図２８は、本変形例に係る支持部材４６を示す図、図２９は、本変形例に係る他の支持部材４７を示す図である。
【０１０１】
図２８に示す支持部材４６は、床面８に形成された凸部である。支持部材４６は、シャッターカーテン４の座板４ｂよりも屋内側に配置されている。支持部材４６は、厚さ方向において座板４ｂと互いに対向している。支持部材４６は、屋外側からの水圧による力に抗してシャッターカーテン４を支持し、シャッターカーテン４が屋内側に向けて撓むことを抑制することができる。
【０１０２】
図２９に示す支持部材４７は、床面８に形成された溝部である。溝部４７は、シャッターカーテン４の鉛直方向下方の床面８に配置されており、開口部２の幅方向に延在している。ガイドレール５は、溝部４７内まで設けられていることが好ましい。溝部４７は、蓋４８によって閉塞可能である。浸水を抑制するときには、溝部４７から蓋４８が取り外され、溝部４７にシャッターカーテン４の座板４ｂが収納される。これにより、溝部４７は、屋外側からの水圧による力に抗してシャッターカーテン４を支持し、シャッターカーテン４が屋内側に向けて撓むことを抑制することができる。
【０１０３】
［第２実施形態の第４変形例］
第２実施形態の第４変形例について説明する。本変形例の支持部材は、組立式である点が上記第２実施形態の第１変形例、第２変形例、第３変形例の支持部材３８，４０，４２，４３，４６，４７と異なる。図３０は、本変形例に係る支持部材４９の設置時を示す図、図３１は、本変形例に係る支持部材４９の収納時を示す図である。
【０１０４】
図３０および図３１に示すように、支持部材４９は、本体部４９ａ、当接部４９ｂおよびリンク部４９ｃを有する。本体部４９ａは、床面８に対して固定される。当接部４９ｂは、シャッターカーテン４と当接する。リンク部４９ｃは、本体部４９ａと当接部４９ｂとを連結する。
【０１０５】
本体部４９ａの一端には当接部４９ｂが、他端にはリンク部４９ｃがそれぞれ連結されている。本体部４９ａと当接部４９ｂの基端部とは、相対回転自在に連結されている。また、本体部４９ａとリンク部４９ｃの基端部とは、相対回転自在に連結されている。当接部４９ｂは、連結孔４９ｄを有している。また、リンク部４９ｃの先端部には、連結孔４９ｅが形成されている。当接部４９ｂの連結孔４９ｄと、リンク部４９ｃの連結孔４９ｅとをボルト・ナット等の連結部材で連結することで、支持部材４９をトラス構造とすることができる。このときに、当接部４９ｂは、鉛直方向に延在していることが好ましい。本体部４９ａは、例えば、上記第２実施形態の取付孔３６および突起３７ｂによって床面８に対して固定される。
【０１０６】
本変形例の支持部材４９によれば、当接部４９ｂとリンク部４９ｃとの連結を解除することで、コンパクトに収納することができる。また、設置時にはトラス構造となることで、十分な強度を有してシャッターカーテン４を支持することができる。
【０１０７】
［第３実施形態］
図３２および図３３を参照して、第３実施形態について説明する。第３実施形態については、上記各実施形態で説明したものと同様の機能を有する構成要素には同一の符号を付して重複する説明は省略する。本実施形態の開口部の防水装置３−１において、上記各実施形態の開口部の防水装置１−１，１−２，１−３，２−１と異なる点は、シート１０が、床面８と壁面３ａ，３ｂとが交わる隅部からの水の漏れをより効果的に抑制する構成を有する点である。図３２は、開口部に設置された第３実施形態に係るシートの要部を示す斜視図、図３３は、第３実施形態に係るシートの展開図である。
【０１０８】
本実施形態に係るシート１０は、上記第１実施形態のシート１０（図１、図２参照）と同様に、シャッターカーテン４の所定部４１と、所定部４１に隣接する床面８と、所定部４１に隣接し、かつ開口部２の幅方向において互いに対向する壁面３ａ，３ｂとを一体に覆うものである。ここで、シート１０を開口部２に設置した状態で、図３２に示す隅部Ａ、すなわち壁面３ａ，３ｂと床面８とが交わる隅部Ａにおいて水の漏れが生じやすい。シート１０と隅部Ａとに隙間が生じていると、その隙間を介して水が屋内側に浸入してしまうこととなる。本実施形態に係る開口部の防水装置３−１では、シート１０は、床面８に対応する部分（後述する下方縁部６２）の幅方向の端部６２ａと、壁面３ａ，３ｂに対応する部分（後述する側方縁部６０）の下端部６０ａとを重ね合わせて設置することができる。これにより、隅部Ａとシート１０との間に隙間が生じることが抑制され、水漏れが抑制される。
【０１０９】
本明細書では、シート１０において壁面３ａ，３ｂに対応する部分を「側方縁部６０」と記載する。側方縁部６０は、シート１０が保持部２０によって保持された状態で、壁面３ａ，３ｂと開口部２の幅方向において対向する部分を含む領域である。側方縁部６０には、壁面３ａ，３ｂと対向する部分の延長上の部分、例えば開閉方向に延長した部分も含まれる。
【０１１０】
また、シート１０において床面８に対応する部分を「下方縁部６２」と記載する。下方縁部６２は、シート１０が保持部２０によって保持された状態で、床面８と対向する部分およびその幅方向の延長上の部分を含む。図３３に示すように、シート１０には、側方縁部６０の下端部６０ａと下方縁部６２との間にスリット６１が形成されている。スリット６１は、シート１０の下端部に形成されており、開閉方向に延在している切れ目である。下方縁部６２の幅方向の長さは、開口部２の幅と同一か、あるいは開口部２の幅よりも小さい。
【０１１１】
図３２に示すように、側方縁部６０は隅部Ａに沿って折り曲げられ、側方縁部６０の下端部６０ａは、下方縁部６２の幅方向の端部６２ａの上に重ね合わされる。これにより、隅部Ａを含む壁面３ａ，３ｂと床面８とを側方縁部６０によって一体に覆うことができる。よって、隅部Ａとシート１０との間に隙間が生じることが抑制される。また、下方縁部６２と側方縁部６０の下端部６０ａとが重ね合わされることで、下方縁部６２と側方縁部６０とを密着させ、屋内側への水の浸入を抑制することができる。
【０１１２】
屋外側の水位が増し、シート１０に掛かる水圧が増加すると、側方縁部６０が隅部Ａに向けて押圧される。これにより、シート１０と隅部Ａとの隙間が更に縮小し、屋内側への水の浸入を更に抑制することができる。また、水圧が増加すると、側方縁部６０の下端部６０ａと下方縁部６２の幅方向の端部６２ａとが密着し、屋内側への水の浸入が抑制される。本実施形態に係るシート１０では、側方縁部６０の下端部６０ａと下方縁部６２の幅方向の端部６２ａとがスリット６１によって分けられていることで、下端部６０ａと端部６２ａとを容易に重ね合わせることができる。
【０１１３】
なお、本実施形態では、側方縁部６０の下端部６０ａが下方縁部６２の上に重ね合わされたが、これに代えて、側方縁部６０の下端部６０ａの上に下方縁部６２の幅方向の端部６２ａが重ね合わされてもよい。
【０１１４】
［第３実施形態の第１変形例］
第３実施形態の第１変形例について説明する。図３４は、開口部に設置された第３実施形態の第１変形例に係るシートの要部を示す斜視図、図３５は、第３実施形態の第１変形例に係るシートの展開図である。
【０１１５】
図３５に示すように、スリット６３は、シート１０の下端の角部を２つの三角形の部分に分けるように斜めに形成されている。スリット６３により、下方縁部６２には幅方向に突出する先細のヒレ部６２ｂが形成され、側方縁部６０には開閉方向に突出する先細のヒレ部６０ｂが形成されている。一方のヒレ部６２ｂの先端から他方のヒレ部６２ｂの先端までの長さは、開口部２の幅よりも大きい。従って、シート１０を開口部２に設置したときに、ヒレ部６２ｂを床面８から立ち上げるように隅部Ａに沿って下方縁部６２を折り曲げ、ヒレ部６２ｂを壁面３ａ，３ｂに沿って延在させることができる。また、ヒレ部６０ｂは、シート１０のジッパー１１よりも下方（閉方向側）に設けられている。よって、シート１０を開口部２に設置したときに、側方縁部６０を隅部Ａに沿って折り曲げ、ヒレ部６０ｂを床面８に沿って延在させることができる。
【０１１６】
図３４に示すように、シート１０は、側方縁部６０のヒレ部６０ｂを下方縁部６２に重ね合わせ、下方縁部６２のヒレ部６２ｂを側方縁部６０に重ね合わせて設置される。本実施形態では、ヒレ部６０ｂが下方縁部６２の上に重ねられており、ヒレ部６２ｂは側方縁部６０に対して幅方向の外側に重ねられている。つまり、開口部２に対するシート１０の設置が完了した状態で、ヒレ部６２ｂは側方縁部６０に隠れている。本変形例に係るシート１０によれば、下方縁部６２の幅方向の端部と、側方縁部６０の下端部とを重ね合わせて設置することで、下方縁部６２および側方縁部６０のそれぞれによって、床面８と壁面３ａ，３ｂとを一体に覆うことができる。よって、隅部Ａとシート１０との隙間からの水の浸入を効果的に抑制することができる。
【０１１７】
なお、側方縁部６０の下端部と下方縁部６２の幅方向の端部との重ね方は、図示したものには限定されない。例えば、ヒレ部６０ｂの上に下方縁部６２を重ね、ヒレ部６２ｂを側方縁部６０に対して幅方向の内側に重ねるようにしてもよい。
【０１１８】
［第３実施形態の第２変形例］
第３実施形態の第２変形例について説明する。図３６は、開口部に設置された第３実施形態の第２変形例に係るシートの要部を示す斜視図、図３７は、第３実施形態の第２変形例に係るシートの展開図である。
【０１１９】
図３７に示すように、側方縁部６０および下方縁部６２には、ヒレ部６０ｃ，６２ｃがそれぞれ設けられている。ヒレ部６０ｃは、側方縁部６０の下端部に設けられており、ジッパー１１よりも下方（閉方向側）に設けられている。よって、シート１０を開口部２に設置したときに、側方縁部６０を隅部Ａに沿って折り曲げ、ヒレ部６０ｃを床面８に沿って延在させることができる。ヒレ部６０ｃは、矩形であり、開口部２の幅方向におけるヒレ部６０ｃの長さは、下方縁部６２の開閉方向の長さに対応している。
【０１２０】
ヒレ部６２ｃは、矩形であり、下方縁部６２の幅方向の端部に設けられている。一方のヒレ部６２ｃの先端から他方のヒレ部６２ｃの先端までの長さは、開口部２の幅よりも大きい。従って、シート１０を開口部２に設置したときに、ヒレ部６２ｃを床面８から立ち上げるように隅部Ａに沿って下方縁部６２を折り曲げ、ヒレ部６２ｃを壁面３ａ，３ｂに沿って延在させることができる。
【０１２１】
図３６に示すように、シート１０は、側方縁部６０のヒレ部６０ｃを下方縁部６２に重ね合わせ、下方縁部６２のヒレ部６２ｃを側方縁部６０に重ね合わせて設置される。本実施形態では、ヒレ部６０ｃが下方縁部６２の上に重ねられており、ヒレ部６２ｃは側方縁部６０に対して幅方向の外側に重ねられている。
【０１２２】
本変形例に係るシート１０によれば、下方縁部６２および側方縁部６０のそれぞれによって、床面８と壁面３ａ，３ｂとを一体に覆うことができ、かつ隅部Ａの近傍において床面８や壁面３ａ，３ｂとヒレ部６０ｃ，６２ｃとの接触面積を大きなものとすることができる。また、ヒレ部６０ｃと下方縁部６２との接触面積やヒレ部６２ｃと側方縁部６０との接触面積を大きなものとすることができる。これにより、屋内側への水の浸入を抑制する効果が高くなるという利点がある。
【０１２３】
なお、側方縁部６０の下端部と下方縁部６２の幅方向の端部との重ね方は、図示したものには限定されない。例えば、ヒレ部６０ｃの上に下方縁部６２を重ね、ヒレ部６２ｃを側方縁部６０に対して幅方向の内側に重ねるようにしてもよい。また、ヒレ部６０ｃ，６２ｃの形状は、矩形に限らず任意に定めることができる。
【０１２４】
［第３実施形態の第３変形例］
第３実施形態の第３変形例について説明する。図３８は、開口部に設置された第３実施形態の第３変形例に係るシートの要部を示す斜視図、図３９は、第３実施形態の第３変形例に係るシートの展開図である。
【０１２５】
図３８に示すように、本変形例に係るシート１０は、角部６４（図３９参照）を破線６４ａで折り、かつ角部６４を下方縁部６２に重ねることにより、側方縁部６０の下端部と下方縁部６２の幅方向の端部とを重ね合わせることができる。図３９に示すように、角部６４は、シート１０の下端でかつ幅方向の端部に位置する矩形の領域、例えば略正方形の領域である。角部６４は、側方縁部６０の一部として機能することができ、下方縁部６２の一部として機能することもできる。
【０１２６】
図３９に示す破線６４ａで山折りにし、破線６４ｂ，６４ｃで谷折りすることにより、角部６４は三角形に折り畳まれた形状となる。三角形に折り畳まれた部分は、下方縁部６２の上に重ね合わされる。側方縁部６０を破線６４ｂで隅部Ａに沿って折り曲げることにより、側方縁部６０によって床面８と壁面３ａ，３ｂとを一体に覆うことができる。よって、シート１０と隅部Ａとの間に隙間が生じることを抑制し、屋内側への水の浸入を抑制することができる。
【０１２７】
なお、角部６４の折り方、および側方縁部６０の下端部と下方縁部６２の幅方向の端部との重ね方は、図示したものには限定されない。例えば、折り畳まれた角部６４は、下方縁部６２に重ねることに代えて、側方縁部６０に重ねられてもよい。また、角部６４は、破線６４ａで山折りにされることに代えて、谷折りされてもよい。この場合、折り畳まれた角部６４は、下方縁部６２の下に重ねられるか、あるいは側方縁部６０に対して幅方向の外側に重ねることができる。
【０１２８】
［第３実施形態の第４変形例］
第３実施形態の第４変形例について説明する。上記第３実施形態および第３実施形態の各変形例において、側方縁部６０の下端部と下方縁部６２の幅方向の端部とを重ね合わせた部分を押圧部材によって床面８に向けて押圧するようにしてもよい。押圧部材は、例えば、図５に示すフラットバー１６のようなものとすることができる。押圧部材は、隅部Ａに向けてシート１０を押圧できる角部を有するものであることが好ましい。側方縁部６０の下端部と下方縁部６２の幅方向の端部とを重ね合わせた状態で、シート１０を隅部Ａに向けて押圧するように押圧部材を載置することで、シート１０と隅部Ａとの隙間を極力少なくすることができる。
【０１２９】
例えば、上記第３実施形態に係るシート１０（図３２参照）に対しては、側方縁部６０を隅部Ａに向けて押圧するように、側方縁部６０の下端部６０ａの上に押圧部材を載置することが好ましい。また、上記第３実施形態の第１変形例に係るシート１０（図３４参照）に対しては、側方縁部６０を隅部Ａに向けて押圧するように、ヒレ部６０ｂの上に押圧部材を載置することが好ましい。また、上記第３実施形態の第２変形例に係るシート１０（図３６参照）に対しては、側方縁部６０を隅部Ａに向けて押圧するように、ヒレ部６０ｃの上に押圧部材を載置することが好ましい。また、上記第３実施形態の第３変形例に係るシート１０（図３８参照）に対しては、側方縁部６０および角部６４を隅部Ａに向けて押圧するように、角部６４の上に押圧部材を載置することが好ましい。
【０１３０】
上記の各実施形態および変形例に開示された内容は、適宜組み合わせて実行されることができる。
【符号の説明】
【０１３１】
１−１，１−２，１−３，２−１，３−１  開口部の防水装置
１  構造物
２  開口部
３  壁部
３ａ，３ｂ  壁面
４  シャッターカーテン
４ａ  スラット
５  ガイドレール
８  床面
１０  シート
１３  シート下部
１６，１８，５０  押圧部材
２０  保持部
６０  側方縁部
６２  下方縁部
【図１】
0005968408.tif 000002
【図２】
0005968408.tif 000003
【図３】
0005968408.tif 000004
【図４】
0005968408.tif 000005
【図５】
0005968408.tif 000006
【図６】
0005968408.tif 000007
【図７】
0005968408.tif 000008
【図８】
0005968408.tif 000009
【図９】
0005968408.tif 000010
【図１０】
0005968408.tif 000011
【図１１】
0005968408.tif 000012
【図１２】
0005968408.tif 000013
【図１３】
0005968408.tif 000014
【図１４】
0005968408.tif 000015
【図１５】
0005968408.tif 000016
【図１６】
0005968408.tif 000017
【図１７】
0005968408.tif 000018
【図１８】
0005968408.tif 000019
【図１９】
0005968408.tif 000020
【図２０】
0005968408.tif 000021
【図２１】
0005968408.tif 000022
【図２２】
0005968408.tif 000023
【図２３】
0005968408.tif 000024
【図２４】
0005968408.tif 000025
【図２５】
0005968408.tif 000026
【図２６】
0005968408.tif 000027
【図２７】
0005968408.tif 000028
【図２８】
0005968408.tif 000029
【図２９】
0005968408.tif 000030
【図３０】
0005968408.tif 000031
【図３１】
0005968408.tif 000032
【図３２】
0005968408.tif 000033
【図３３】
0005968408.tif 000034
【図３４】
0005968408.tif 000035
【図３５】
0005968408.tif 000036
【図３６】
0005968408.tif 000037
【図３７】
0005968408.tif 000038
【図３８】
0005968408.tif 000039
【図３９】
0005968408.tif 000040